(57)【要約】  【課題】  遊技機の遊技盤裏面に於いて、電気的な不正部品の取り付けが困難で、且つ、取付が行われた際、容易に発見できる遊技機を提供する。  【解決手段】  遊技盤裏面に於いて、入賞球を流下させる遊技盤裏面構成部材４７に設置された、入賞球検出センサに係る配線を、遊技盤裏面構成部材４７に埋設することによって、入賞球検出センサに係る配線部材に直接触れることを不可能とすると共に、不正部品を隠すことが可能となる部材を取り除く。加えて主制御基板と中継基板の接続に、不正部品取り付けの余地を無くす。  【選択図】      図３
2008200166.tif 000002
【特許請求の範囲】
【請求項１】
遊技領域に複数の入賞口を配置し、
特定の入賞口に入賞するタイミングに起因して遊技者に有利なゲーム内容とするか否かを決定する主制御基板と、
各入賞口からの入賞球を所定の経路に流下させるために、合成樹脂で成型された遊技盤裏面構成部材を遊技盤裏面に配設し、
該遊技盤裏面構成部材には、球の通過を検出する検出手段と、該検出手段と遊技の進行を制御する主制御基板との電気的な接続を中継する中継基板を配置した遊技機において、
前記検出手段と前記中継基板を電気的に接続する配線部材が、遊技盤裏面構成部材に埋設されたことを特徴とするパチンコ遊技機。
【請求項２】
前記主制御基板と、前記遊技盤裏面構成部材に配置された前記中継基板との電気的接続において
該主制御基板に配置されたコネクタと、該中継基板に配置されたコネクタとを、電線を介することなく直接接続することを特徴とする請求項１記載のパチンコ遊技機。
【発明の詳細な説明】
【技術分野】
【０００１】
本発明は、遊技盤の遊技領域に複数の入賞口を配置し遊技盤裏面には入賞球を流下させるために合成樹脂で成型された遊技盤裏面構成部材を配設するパチンコ遊技機に関するものである。
【背景技術】
【０００２】
従来のパチンコ遊技機における遊技盤裏面構成部材は、入賞球を所定の経路に流下させる部材として合成樹脂で成型され、且つ入賞球の通過を検出するための近接スイッチからなるセンサを配置し、背面に制御基板との電気的接続を介する中継基板を配置したものである。
【０００３】
近接スイッチからなるセンサを遊技盤裏面構成部品に配置する大きな要因として、遊技盤面にある全ての入賞口に於いて、各入賞口毎に入賞球を検出する手段を有することが規則上必要となったことが挙げられる。
【０００４】
尚且つ近年の主だったパチンコ遊技機に於いては、液晶機器等を用いた表示部の拡大傾向が顕著となり、それら表示機器を遊技盤面に配置することで、残された遊技盤面のスペースが限られたものになっていた。
【０００５】
そのような状況で、入賞口となる遊技盤面部材自体に入賞球検出手段となるセンサを取り付けることは、当該遊技盤面部材の大型化を意味し、残されたスペースに入賞口として効率よく配置することが不可能となった。
【０００６】
従って、入賞口となる遊技盤面部材から入賞球検出手段となるセンサ取り付け部を切り離すことで大型化を防ぎ、切り離したセンサは遊技盤裏面において入賞球の流下経路となる遊技盤裏面構成部材に配置することで、入賞球検出手段を確保する手法が一般化した。
【０００７】
各入賞口の入賞球検出手段であるセンサの取り付け部は、遊技盤面部材から遊技盤裏面構成部材に移行したが、各センサと制御基板との電気的な接続状態は、配線部材の線長に違いはあるが、使用する部材及び接続方法及び配線の収納方法に変わりはない。
【０００８】
具体的には、センサを盤面部材に取り付けた場合は、センサから引き出される被覆された配線を遊技盤裏面から導出し、制御基板と接続するために配線端部にコネクタを配し、そのコネクタを制御基板と接続された中継基板に接続することによって制御基板との電気的な接続を成立させていた。その場合のセンサと中継基板を接続する配線と、中継基板と制御基板を接続する配線は、各々集束され、遊技盤裏面に取り付けられる制御基板等の各ユニット間に存在する空きスペースに収納されていた。
【０００９】
センサを遊技盤裏面構成部材に配した場合においても、遊技盤裏面構成部材に配置されたセンサから引き出された配線は上記と同様に配線端部にコネクタを配しそのコネクタを制御基板と接続された中継基板に接続することによって制御基板との電気的な接続が成立している。この場合もセンサと中継基板を接続する配線と、中継基板と制御基板を接続する配線は、遊技盤裏面構成部材に各々集束され、各制御基板等のユニット間に存在する空きスペースに収納される。
【特許文献１】特開２００１−２８６６０６号広報
【発明の開示】
【発明が解決しようとする課題】
【００１０】
上記のようにセンサと中継基板及び中継基板と制御基板を電気的に接続する配線部材は、遊技盤裏面に配置される各ユニット間に存在する空きスペースに収納される状態となるため、遊技機背面から配線部材自体への接触が可能であり、これは実際に遊技機を遊技施設に設置した場合、不正行為が容易に可能な状態といえる。
【００１１】
具体的な不正行為の手段としては、配線の被覆部を破り電気的信号を発生させる不正部品を接続し正規の配線部材とともに空きスペースに収納することが行われる。この場合、正規の配線部材自体が不正な電気部品を隠す為の部材となり、不正部品の発見を阻害する要因になる。
【００１２】
同様に、各ユニットを電気的に接続するコネクタ部に於いても、不正が容易な状態といえる。
【００１３】
コネクタ部の具体的な不正手段としては、コネクタ接続部において不正な電気部品と差換えが行われる。これも、前記と同じように正規の配線部材で不正部品を隠すことが常である。
【００１４】
遊技機を設置した遊技施設においては、随時不正に対しての監視と遊技機自体の部品確認が実施されているが、不正行為がより巧妙になっており、加えて遊技機裏面における入賞口に係るスイッチ配線と、それらを制御基板と電気的に接続するために用いらるコネクタの従来の配設状態では、容易に不正部品を発見できる構成とはいえない問題がある。
【課題を解決するための手段】
【００１５】
請求項１に記載の発明は、遊技領域に複数の入賞口を配置し、
特定の入賞口に入賞するタイミングに起因して遊技者に有利なゲーム内容とするか否かを決定する主制御基板と、
各入賞口からの入賞球を所定の経路に流下させるために、合成樹脂で成型された遊技盤裏面構成部材を遊技盤裏面に配設し、
該遊技盤裏面構成部材には、球の通過を検出する検出手段と、該検出手段と遊技の進行を制御する主制御基板との電気的な接続を中継する中継基板を配置した遊技機において、
前記検出手段と前記中継基板を電気的に接続する配線部材が、遊技盤裏面構成部材に埋設されたことを特徴とする。
【００１６】
請求項２に記載の発明は、
前記主制御基板と、前記遊技盤裏面構成部材に配置された前記中継基板との電気的接続において
該主制御基板に配置されたコネクタと、該中継基板に配置されたコネクタを、電線を介することなく直接接続することを特徴とする。
【発明の効果】
【００１７】
請求項１に記載の遊技機では、遊技盤裏面構成材に配置された入賞球検出用のセンサと、制御基板とを、電気的に接続する配線部材に対して、容易な接触が不可能となる。すなわち、それら配線部材に対しての不正な電気部品の取付や配線部材を使用しての不正部品の隠蔽が不可能となる。
また、万が一、遊技施設設置時において不正部品取付が行われた場合、該不正部品の隠蔽を可能とする配線部材が用いられてないため、不正部品は目視により容易に発見することが可能となる。
【００１８】
請求項２に記載の遊技機では、容易なコネクタの差し替えが不可能となる。すなわち、コネクタへの不正部品の取付が困難となる。
上記と同様に、万が一、遊技施設設置時において不正部品取付が行われた場合、該不正部品の隠蔽を可能とする配線部材が用いられてないため、不正部品は目視により容易に発見することが可能となる。
【発明を実施するための最良の形態】
【００１９】
以下に、本発明の最良の実施形態に基づいて説明する。
図１は代表的なパチンコ遊技機の遊技盤１０正面図である。本実施例では遊技盤１０以外のパチンコ機の機械的な構成（枠装置など）は公知技術にしたがっているため、図示と説明は省略する。
【００２０】
図１に示すとおり、実施例の遊技盤１０には外レール１１、内レール１２等で囲まれた略円形の遊技領域１３が形成されている。遊技領域１３の中央から右上部全体にかけてセンターケース１４が取り付けられ、上始動口２０、下始動口２１に入賞したことを条件として特別図柄を変動表示する矩形の液晶パネル１５は、遊技領域１３の中央になるようにセンターケース１４に組み込まれている。また、センターケース１４の左側外殻部には、上部に普通図柄変動用ゲート１６があり、下部には遊技球をセンターケース１４内下部のステージ１８に誘導するための、ワープ口１７が設置されている。また、センターケース１４の左外殻の外側下部には風車２８が設置されている。
【００２１】
センターケース１４の下部には、内レール１２に沿って弓形成型品Ａ３１と弓形成型品Ｂ３２が設置され、その弓形成型品Ａ３１と弓形成型品Ｂ３２には装飾部３３と以下に示す複数の入賞口が配置されている。
【００２２】
弓形成型品Ａ３１のセンターケース１４の中央下方となる位置には、上始動口２０とその下にはチューリップ式の普通電動役物である下始動口２１が配置され、それらの直下にアタッカー式の入賞装置である中大入賞口２２が配置されており、、左上から順に左上入賞口２４、左中入賞口２５、左下入賞口２６が配置されている。弓形成型品Ｂ３２には、右上から順にチューリップ式の可変入賞装置である右大入賞口２３と右入賞口２７が配置されている。
【００２３】
また、遊技盤１０の裏面では、図９に示すように、主制御基板４０、演出制御基板４１、液晶ユニット４２、中継基板４３等のユニットが、主制御基板取り付けベース４４、演出制御基板取り付けベース４５、液晶ユニット取り付けベース４６、遊技盤裏面構成部材４７、等を用いて取り付けられている。
一方、図２に示すように、遊技盤１０と主制御基板４０の間となる遊技盤１０の背面には、入賞球を回収するために、入賞後に遊技盤裏面に転がった遊技球を下方に流下させる機能を有する遊技盤裏面構成部材４７が設置してある。この遊技盤裏面構成部材４７は、内部で球詰まりが発生した場合に視認ができるように、透明もしくは半透明の樹脂で成型されている。
【００２４】
図３で示すように、遊技盤１０の各入賞口から遊技盤裏面に転がった遊技球は、遊技盤裏面構成部材４７によって次の経路で流下する。
【００２５】
上始動口２０に入賞した遊技球は、遊技盤裏面構成部材４７に於いては上始動口入賞球出現部６０に出現し、盤面裏面から見て左斜め下に流れ、球流下樋７１を経た後、センサ取付部５０を通過し上始動口入賞球出口５３より流下する。
【００２６】
左上入賞口２４に入賞した遊技球は、遊技盤裏面構成部材４７に於いては左上入賞口入賞球出現部６１に出現し、直下に落下した後に左に流れ球流下樋７２を経た後、センサ取付部５０を通過し左上左中左下入賞口入賞球出口５４より流下する。
【００２７】
左中入賞口２５に入賞した遊技球は、遊技盤裏面構成部材４７に於いては左中入賞口入賞球出現部６２に出現し左に流れ、球流下樋７３を経てセンサ取付部５０を通過し左上左中左下入賞口入賞球出口５４より流下する。
【００２８】
左下入賞口２６に入賞した遊技球は、遊技盤裏面構成部材４７に於いては左下入賞口入賞球出現部６３に出現後、直下に落ちながら球流下樋７４を経てセンサ取付部５０を通過し左上左中左下入賞口入賞球出口５４より流下する。
【００２９】
右入賞口２７に入賞した遊技球は、遊技盤裏面構成部材４７に於いては右入賞口入賞球出現部６４に出現し、直下に落ちながら球流下樋７５を経てセンサ取付部５０を通過し右入賞口入賞球出口５２より流下する。
【００３０】
左上入賞口２４、左中入賞口２５、左下入賞口２６の三個の入賞口の入賞検出に関しては、賞球数が同一で近接する位置にあるため、規則上３個の入賞口への入賞検出を１個の入賞検出装置で兼ねることが可能である。本実施例に於いても、コストを抑えるために実際に採用されるであろう手法として、入賞検出装置を兼ねる機構を用いる。
【００３１】
次に、入賞検出手段となるセンサ８０の取り付け形態について説明する。
【００３２】
図４、図５に示すように、入賞検出手段となるセンサ８０は、入賞球の通過する球通過部８１を有する検出部８０ａと、検出回路を内蔵しリード線接続コネクタ８２を設けた配線導出部８０ｂが並設された、薄型パッケージ形状の近接スイッチからなる。
【００３３】
上記センサ８０を収納するセンサ取付部５０は、センサ８０の検出部８０ａの短面８０ｃを遊技盤１０側に取り付けるように、縦長に深溝が形成されている。即ち、図４から図６に示すように、遊技盤裏面構成部材４７の遊技盤１０側にあたる前面６５に設けたセンサ８０を保持する縁６６ａを有する開口６６から、背面６７側にあるコネクタ接続部６７ｂまで延在する長方形の凹部から成り、この凹部はコネクタ接続部６７ｂ面、右側面５０ａ、左側面５０ｂ、上側面５０ｃ、下側面５０ｄ、の内壁で構成される。
【００３４】
但し、遊技球の流下経路６８上には、センサ８０を挟む上下の内壁は無く、センサ８０を保持するために、流下経路６８を構成する左面板６８ａと右面板６８ｂに球通過部ガイド６９が形成されている。
【００３５】
センサ８０を遊技盤裏面構成部材４７に取り付けるには、センサ８０の配線導出部８０ｂを開口６６から球通過部ガイド６９に沿って挿入し、コネクタ接続部６７ｂにある凹コネクタａ７０とセンサの配線導出部８０ｂにあるリード線接続コネクタ８２が接続するように押し入れる。これによりセンサは、開口６６内の凹部を構成する内壁と球通過部ガイド６９に保持され、遊技盤裏面構成部材４７を遊技盤１０に取り付けることによって、遊技盤１０で開口６６に蓋をする状態となり、センサが固定される。
【００３６】
次に、遊技盤裏面構成部材４７に配置されたセンサ８０と、主制御基板４０との電気的接続を行うために引き出されているリード線４８の、取り付け形態について説明する。
【００３７】
図４、図５が示すように、凹コネクタａ７０と接続する形態でセンサ８０から引き出されるリード線４８は、遊技盤裏面構成部材４７の樹脂成型時に樹脂内にインサート成型することにより、センサ取付部５０のコネクタ接続部６７ｂに配置された凹コネクタａ７０から、中継基板取付部７９にあるリード線導出部７６に配置された凹コネクタｂ８３（図１２、１３参照）の間は、遊技盤裏面構成部材４７の樹脂内部に埋設した状態となる。
【００３８】
従って、遊技盤裏面構成部材４７にインサートされたリード線に、電気的不正を実施しようとした場合、成型された部材を破壊しなければならない。
仮に、破壊されたことによって不正部品の取り付けが行われた場合においても、破壊の痕跡によって不正を容易に発見することができる。
【００３９】
遊技盤裏面構成部材４７にインサートされたリード線４８の配線経路は、図３と図５と図１３が示すように、
上始動口２０の入賞球を検出するセンサ取付部５０からは、コネクタ接続部６７ｂからセンサ取付部５０の上側面５０ｃを形成するセンサ上壁７７を通り、流下経路６８の背面を形成する背面板６８ｃを通り、流下経路６８の正面から見て右側面から曲面を形成する右面板６８ｂを通り、遊技盤１０への接地箇所となる前面６５の正面から見て前面右部６５ａを通り、中継基板台上壁７８ａを通り、中継基板設置部７９にあるリード線導出部７６ａで凹コネクタｂ上始動口８３ａに装着される。
【００４０】
右入賞口２７の入賞球を検出するセンサ取付部５０からも同様に、コネクタ接続部６７ｂからセンサ取付部５０の上側面５０ｃを形成するセンサ上壁７７を通り、球流下樋７５を形成する流下経路背面７５ａを通り、右入賞口入賞球出現部６４を形成する右入賞口入賞球出現部上面６４ａを通り、遊技盤１０への接地箇所となる前面６５の正面から見て前面右部６５ａを通り、中継基板台上壁７８ａを通り、中継基板設置部７９にあるリード線導出部７６ｂで凹コネクタｂ右入賞口８３ｂに装着される。
【００４１】
左上入賞口２４、左中入賞口２５、左下入賞口２６、の入賞球を検出するセンサ取付部５０からも同様に、コネクタ接続部６７ｂからセンサ取付部５０の上側面５０ｃを形成するセンサ上壁７７を通り、球流下樋７４を形成する流下経路背面７４ａを通り、左下入賞口入賞球出現部６３を形成する左下入賞口入賞球出現部右面６３ａを通り、遊技盤１０への接地箇所となる前面６５の正面から見て前面左部６５ｂを通り、中継基板台上壁７８ａを通り、中継基板設置部７９にあるリード線導出部７６ｃ凹コネクタｂ左上中下入賞口８３ｃに装着される。
【００４２】
次に、リード線４８の端部に装着された凹コネクタｂと、遊技盤裏面構成部材４７に設置される中継基板４３との接続の状態を説明する。
【００４３】
中継基板設置部７９に配置される中継基板４３の形状は、図７が示すように、矩形の中継基板ベース４３ａに、センサ８０との電気的接続を行うためのアングル型凸コネクタ４３ｂを３個配置し、主制御基板４０との電気的接続をおこなうためにアングル型凸コネクタ４３ｃを１個配置したものであり、センサ８０から主制御基板４０への電気的信号を各々の入出力形態にあわせ設計されたものである。
【００４４】
中継基板４３を遊技盤裏面構成部材４７に設置するには、
中継基板４３を中継基板設置部７９に接地させながら、長辺４３ｅを位置決めリブ７９ａに合わせ、３個のアングル型凸コネクタ４３ｂが、リード線導出部７６に配置された３個の凹コネクタｂ８３と各々接続するようにスライドさせ、中継基板４３の短辺４３ｄを中継基板設置部壁７９ｄまで押し付けることによってアングル型凸コネクタ４３ｂと凹コネクタｂ８３の接続を完了させる。加えて、中継基板４３を挟み込むように、皿ビス７９ｃをビス取り付け溝４３ｇを通してビス取付台７９ｂに捻込むことにより中継基板４３を遊技盤裏面構成部材４７に固定する。
【００４５】
上記の様に中継基板４３が遊技盤裏面構成部材４７に固定された状態に於いて、センサ８０と中継基板４３との電気的接続は完了しており、容易に接触可能なリード線は存在しない。
【００４６】
次に、中継基板４３と、主制御基板４０との接続の状態を説明する。
【００４７】
中継基板４３に配置されたアングル型凸コネクタ４３ｃと、主制御基板４０に配置されたアングル型凹コネクタ４０ａが、図８から図１０が示すような状態で直接接続され、遊技盤１０裏面に取り付けられる。
【００４８】
上記を可能とする為に、主制御基板４０に配置されたアングル型凹コネクタ４０ａと、中継基板４３に配置されたアングル型凸コネクタ４３ｃが、遊技盤１０への組付けの際、各々に負荷無く接続が可能となるよう、遊技盤裏面構成部材４７における中継基板設置部７９を、図１１が示すように中継基板台７８の高さを確保する。
【００４９】
この様に、中継基板４３と主制御基板４０の接続に於いては、不正部品を取り付ける余地は無く、また不正部品を隠すための配線部材も存在しない。
【００５０】
以上、実施例にしたがって本発明の実施の形態を説明したが、本発明はこれらの例に限定されるものではない。
【図面の簡単な説明】
【００５１】
【図１】遊技盤の正面図である。
【図２】遊技盤の背面図である。
【図３】遊技盤裏面構成部材を示す背面図である。
【図４】本発明の一実施形態における検出手段とその取り付けよう凹部を示す横断面図である。
【図５】本発明の一実施形態における検出手段とその取り付けよう凹部を示す縦断面図である。
【図６】本発明の一実施形態における検出手段とその取り付けよう凹部を示す正面図である。
【図７】本発明の一実施形態における中継基板の取り付け状態を示す遊技盤裏面構成部材の背面の一部拡大図である。
【図８】本発明の一実施形態における中継基板と制御基板の組付け状態を示す側面図である。
【図９】本発明の一実施形態における遊技盤裏面図である。
【図１０】本発明の一実施形態における中継基板と制御基板の組付け状態を示す遊技盤裏面を一部拡大した図である。
【図１１】本発明の一実施形態における遊技盤裏面構成部材の平面図である。
【図１２】本発明の一実施形態における遊技盤裏面構成部材に中継基板が未設置時の中継基板設置部を拡大した図である。
【図１３】本発明の一実施形態における遊技盤裏面構成部材に中継基板が未設置時の中継基板設置部を拡大した縦断面図図である。
【符号の説明】
【００５２】
１０  遊技盤                        ５７  右大入賞口ソレノイド
１１  外レール                      ５８  下入賞口ソレノイド上面樋
１２  内レール                      ５９  背面壁
１３  遊技領域                      ６０  上始動口入賞球出現部
１４  センターケース                ６１  左上入賞口入賞球出現部
１５  液晶パネル                    ６２  左中入賞口入賞球出現部
１６  普通図柄変動用ゲート          ６３  左下入賞口入賞球出現部
１７  ワープ口                      ６３ａ左下入賞口入賞球出現部右面
１８  ステージ                      ６４  右入賞口入賞球出現部
２０  上始動口                      ６４ａ右入賞口入賞球出現部上面
２１  下始動口                      ６５  前面
２２  中大入賞口                    ６５ａ前面右部
２３  右大入賞口                    ６５ｂ前面左部
２４  左上入賞口                    ６６  開口
２５  左中入賞口                    ６６ａ縁
２６  左下入賞口                    ６７  背面
２７  右入賞口                      ６７ｂコネクタ接続部
２８  風車                          ６８  流下経路
３１  弓形成型品Ａ                  ６８ａ左面板
３２  弓形成型品Ｂ                  ６８ｂ右面板
３３  装飾部                        ６８ｃ背面板
４０  主制御基板                    ６９  球通過部ガイド
４０ａアングル型凹コネクタ          ７０  凹コネクタａ
４０ｂ主基板裏面                    ７１  球流下樋
４０ｃ主制御基板ケース              ７２  球流下樋
４１  演出制御基板                  ７３  球流下樋
４１ａ演出制御基板ケース            ７４  球流下樋
４２  液晶ユニット                  ７５  球流下樋
４３  中継基板                      ７５ａ流下経路背面
４３ａ中継基板ベース                ７６  リード線導出部
４３ｂアングル型凸コネクタ          ７６ａリード線導出部
４３ｃアングル型凸コネクタ          ７６ｂリード線導出部
４３ｄ短辺                          ７６ｃリード線導出部
４３ｅ長辺                          ７７  センサ上壁
４３ｇビス取り付け溝                ７８  中継基板台
４４  主制御基板取り付けベース      ７８ａ中継基板台上壁
４５  演出制御基板取り付けベース    ７９  中継基板設置部
４６  液晶ユニット取り付けベース    ７９ａ位置決めリブ
４７  遊技盤裏面構成部材            ７９ｂビス取付台
４８  リード線                      ７９ｃ皿ビス
４９  リード線インサート部          ７９ｄ中継基板設置部壁
５０  センサ取付部                  ８０  センサ
５０ａ右側面                        ８０ａ球通過部
５０ｂ左側面                        ８０ｂ配線導出部
５０ｃ上側面                        ８０ｃ短面
５０ｄ下側面                        ８１  球通過部
５１  右大入賞口入賞球出口          ８２  リード線接続コネクタ
５２  右入賞口入賞球出口            ８３  凹コネクタｂ
５３  上始動口入賞球出口            ８３ａ凹コネクタｂ上始動口
５４  左上左中左下入賞口入賞球出口  ８３ｂ凹コネクタｂ右入賞口
５５  下始動口ソレノイド            ８３ｃ凹コネクタｂ左上中下入賞口
５６  中大入賞口ソレノイド
【図１】
2008200166.tif 000003
【図２】
2008200166.tif 000004
【図３】
2008200166.tif 000005
【図４】
2008200166.tif 000006
【図５】
2008200166.tif 000007
【図６】
2008200166.tif 000008
【図７】
2008200166.tif 000009
【図８】
2008200166.tif 000010
【図９】
2008200166.tif 000011
【図１０】
2008200166.tif 000012
【図１１】
2008200166.tif 000013
【図１２】
2008200166.tif 000014
【図１３】
2008200166.tif 000015